(57)【要約】【課題】本考案は、複数の蓄熱電気暖房器と蓄熱電気床暖房を制御・パターン管理し、省エネ、省コストを実現する冷暖房集中管理システムを提供する。【解決手段】本考案の冷暖房集中管理システムは、地域の気温予報（日射量、曇量、気温）データを気象庁サーバからインターネットを介して接続され、また管理サーバによって暖房制御・パターン管理されるコンピュータと、該コンピュータと無線／有線ＬＡＮによって通信される知能型通信サーバと、該知能型通信サーバを介して前記コンピュータの制御信号を受信して駆動される多数の蓄熱電気暖房器、多数の蓄熱電気床暖房、多数のエアコン、照明機器、セキュリティカメラとから構成される。【選択図】図１
0003169265.tif 000002
【実用新案登録請求の範囲】
【請求項１】
地域の気温予報データを気象庁サーバからインターネットを介して接続され、また管理サーバによって暖房制御・パターン管理されるコンピュータと、該コンピュータと無線／有線ＬＡＮによって通信される知能型通信サーバと、該知能型通信サーバを介して前記コンピュータの制御信号を受信して駆動される多数の蓄熱電気暖房器及び蓄熱電気床暖房とから構成される冷暖房集中管理システムにおいて、前記コンピュータは、全ての機器の暖房温度を時間帯別にパターンで設定するパターン設定機能と、平日、休日、休日前、休日後、土曜日のカレンダーに対応した決め細やかな室温設定と蓄熱のスケジュール設定を行うスケジュール設定機能と、過去の残熱量データ又は地域の明日の気温予報から自動的に蓄熱電気暖房器の蓄熱量の設定を行う蓄熱量自動設定機能と、管理画面に個別及びグループ別の仕様電力量を表示する省エネナビゲーション機能及び施設の電力使用状況を常時監視し、目標電力を超えないように制御するデマンド制御機能を備えていることを特徴とする冷暖房集中管理システム。
【考案の詳細な説明】
【技術分野】
【０００１】
本考案は、複数の蓄熱電気暖房器と蓄熱電気床暖房を制御・パターン管理し、省エネ、省コストを実現する冷暖房集中管理システムに関するものである。
【背景技術】
【０００２】
従来、ビルなどの建物に設置されている空調設備の省エネを図る手段としては、中央制御装置を導入し、空調機を周期的に起動、停止を繰り返す間欠運転制御や、一日の［入］及び［切］のスケジュールを予め作成し、そのスケジュールに合わせて実行するスケジュール運転制御がある。
しかし、間欠運転制御やスケジュール運転制御では、制御方法が［入］・［切］のみの制御であり、空調の温度設定ができないため、きめ細かな制御ができなかった。
【０００３】
そこで、所望の時刻に所望の運転設定で室内機や室外機を自動運転させることを可能とした集中制御型空気調和システム及び空気調和システムの制御方法が知られている(特許文献１を参照)。
この公知技術は、複数の被制御装置と通信回線を介して接続される中央制御装置を有する集中制御型空気調和システムにおいて、データ記憶手段は各被制御装置毎に各被制御装置が所定時刻に行うべき動作を所定時刻と共に運転設定データとして予め記憶し、運転制御手段は前記データ記憶手段から読み出した運転設定データに基づいて被制御装置に運転を行わせるため、運転／停止の制御のみならず、冷房／暖房切換、室温設定、風速設定、リモコン制御禁止等の制御を所定の時間に行わせることができる集中制御型空気調和システム及び空気調和システムの制御方法である。
【０００４】
同様に、快適性を損なわず省エネが実現できる空調省エネ制御装置が知られている(特許文献２を参照)。
この公知技術は、空調機の設定温度の許容範囲と空調電力使用量の目標値を入力し、そのデータの基に目標値を満たすような最適な空調運転スケジュールを予測し、空調機の運転を制御し、且つ翌日以降の気象データをインターネット経由で取得する手段を備えた空調省エネ制御装置である。
【０００５】
また、学校やホテル等で多数の蓄熱式電気暖房機を用いる場合であっても、各暖房機の集中管理を確実且つ容易に行う蓄熱式電気暖房機の管理システムが知られている(特許文献３を参照)。
この公知技術は、全体的な管理を行う親機ユニット及びこの親機ユニットからネットワークケーブルを介して与えられる指示に従って蓄熱式電気暖房機を制御する複数の子機ユニットより成り、親機ユニットは予め暖房の管理スケジュールを記憶し、この管理スケジュール、室温、外気温に基づいて蓄熱式電気暖房機の放熱量を算出し、この放熱量から蓄熱量を決定し、各子機ユニットは前記記憶した管理スケジュールに従って受け持ちのブロックの蓄熱式電気暖房機の蓄熱及び放熱動作を制御する蓄熱式電気暖房機の管理システムである。
【先行技術文献】
【特許文献】
【０００６】
【特許文献１】特開平１０−１４１７３８号公報
【特許文献２】特開２０１０−６５９６０号公報
【特許文献３】特開平１０−５４６１２号公報
【考案の概要】
【考案が解決しようとする課題】
【０００７】
本考案は、複数の蓄熱電気暖房器と蓄熱電気床暖房を制御・パターン管理し、省エネ、省コストを実現する冷暖房集中管理システムを提供することを目的とする。
【課題を解決するための手段】
【０００８】
本考案の冷暖房集中管理システムは、地域の気温予報データを気象庁サーバからインターネットを介して接続され、また管理サーバによって暖房制御・パターン管理されるコンピュータと、該コンピュータと無線／有線ＬＡＮによって通信される知能型通信サーバと、該知能型通信サーバを介して前記コンピュータの制御信号を受信して駆動される多数の蓄熱電気暖房器及び蓄熱電気床暖房とから構成される冷暖房集中管理システムにおいて、前記コンピュータは、全ての機器の暖房温度を時間帯別にパターンで設定するパターン設定機能と、平日、休日、休日前、休日後、土曜日のカレンダーに対応した決め細やかな室温設定と蓄熱のスケジュール設定を行うスケジュール設定機能と、過去の残熱量データ又は地域の明日の気温予報から自動的に蓄熱電気暖房器の蓄熱量の設定を行う蓄熱量自動設定機能と、管理画面に個別及びグループ別の仕様電力量を表示する省エネナビゲーション機能及び施設の電力使用状況を常時監視し、目標電力を超えないように制御するデマンド制御機能を備えている。
【考案の効果】
【０００９】
本考案の冷暖房集中管理システムは、全ての機器の暖房温度を時間帯別にパターンで設定するパターン設定機能と、平日、休日、休日前、休日後、土曜日のカレンダーに対応した決め細やかな室温設定と蓄熱のスケジュール設定を行うスケジュール設定機能と、過去の残熱量データ又は地域の明日の気温予報から自動的に蓄熱電気暖房器の蓄熱量の設定を行う蓄熱量自動設定機能と、管理画面に個別及びグループ別の仕様電力量を表示する省エネナビゲーション機能及び施設の電力使用状況を常時監視し、目標電力を超えないように制御するデマンド制御機能を備えているため、省エネ、省コストを実現することが可能となる。
【図面の簡単な説明】
【００１０】
【図１】本考案の冷暖房集中管理システムの概要図である。
【考案を実施するための形態】
【００１１】
本考案の冷暖房集中管理システムの一実施例を添付図面に基づいて、以下に説明する。
図１の概要図に示すように、本考案の冷暖房集中管理システムは、地域の気温予報（日射量、曇量、気温）データを気象庁サーバからインターネットを介して接続され、また管理サーバによって暖房制御・パターン管理されるコンピュータと、該コンピュータと無線／有線ＬＡＮによって通信される知能型通信サーバと、該知能型通信サーバを介して前記コンピュータの制御信号を受信して駆動される多数の蓄熱電気暖房器、多数の蓄熱電気床暖房、多数のエアコン、照明機器、セキュリティカメラとから構成される。
前記コンピュータには、必要に応じてプリンターが接続される。
【００１２】
次に、前記コンピュータの制御・パターン管理について、以下に詳細に説明する。
前記コンピュータは、全ての機器の暖房温度を時間帯別にパターンで設定するパターン設定機能と、平日、休日、休日前、休日後、土曜日のカレンダーに対応した決め細やかな室温設定と蓄熱のスケジュール設定を行うスケジュール設定機能と、過去の残熱量データ又は地域の明日の気温予報（日射量、曇量、気温）から自動的に蓄熱電気暖房器の蓄熱量の設定を行う蓄熱量自動設定機能と、管理画面に個別及びグループ別の仕様電力量を表示する省エネナビゲーション機能及び施設の電力使用状況を常時監視し、目標電力を超えないように制御するデマンド制御機能を備えている。
【００１３】
更に詳細に、パターン設定機能、スケジュール設定機能、蓄熱量自動設定機能、省エネナビゲーション機能、デマンド制御機能の各々について説明する。
「パターン設定機能」
コンピュータのパターン画面から暖房温度を時間帯別に複数のパターンを予め設定し、設定した複数のパターンの中から一つを選択すると、選択されたパターンの暖房モード及び蓄熱モードの情報が表示され、前記暖房モードの「自動」を選択すると暖房時間別温度で設定された通りの暖房が進行し、前記蓄熱モードの「自動」を選択するとエコモードにより自動的に蓄熱量を設定する。
尚、「手動」の場合は、手動設定された温度の通り２４時間の暖房を維持し、手動設定された設定量位の蓄熱を進行する。
【００１４】
「スケジュール設定機能」
コンピュータのカレンダー画面から日付を選択し、スケジュールを指定する平日、休日、休日前、休日後、土曜日の５個の日タイプの中から一つを選択すると、カレンダーに選択日タイプが表示される。
また、前記パターン画面で平日、休日、休日前、休日後、土曜日の５個の日タイプの温度設定を行う。
その日付になると、暖房モード及び蓄熱モードは、その日タイプに応じて適用される温度設定パターンに従って制御される。
【００１５】
「蓄熱量自動設定機能」
負荷計算上での外気温の設定温度と、過去の蓄熱量又は地域の気温予報（日射量、曇量、気温）から演算した設定温度と、パターン設定温度とから自動設定（エコモード）する。
【００１６】
「省エネナビゲーション機能」
コンピュータの管理画面に個別及びグループ別の室温、外部気温、設定温度、電力量のデータを期間別に折れ線グラフや棒グラフで表示する
【００１７】
「デマンド制御機能」
業務用時間帯別での夜間電力で、２２時〜８時までの１０時間に設定されたメニューを使用し、この夜間電力帯にネットワーク内の蓄熱電気暖房器などの電力負荷を３０分ごとに制御して、使用電力を２０％抑える。
例えば、総時間１０時間に対し通電時間を８時間、不通電時間を２時間とすれば、５グループの内１グループを順繰りに３０分間停止する制御を行うことで、トータルワット数：ｔｗとし、ｔｗ／５の値でグループ化することにより、２割カットすることができる。
【００１８】
次に、本考案の冷暖房集中管理システムの操作動作について、以下に説明する。
小学校、中学校、高校、幼稚園、保育所、病院、老人ホーム、商業施設、事務所、工場、住宅、スポーツジム、リゾート施設、別荘、農業用ハウスなどで図１の概要図に示す冷暖房集中管理システムが利用される。
コンピュータの初期画面には、メイン、配置図、グループ、設定、日状態、印刷などがボタン表示される。
【００１９】
メイン画面で暖房期間を年／月／日単位で入力して設定し、蓄熱時間帯を蓄熱が開始される時間と終了時間で設定し、設置地域をユーザーの居住地域で設定する。
前記設置地域は、地域番号で、蓄熱自動モードで、気温予報（日射量、曇量、気温）の情報を連動するために使用される。
その他にメイン画面には、現在蓄熱電気暖房器などの装置が稼動しているかどうかの動作状態、暖房モードの自動又は手動、蓄熱モードの自動又は手動、外部の温度計のセンサから読み取った外気温、通信方式の無線かＬＡＮかを表示する。
設定画面では、上記パターン設定機能やスケジュール設定機能に基づく処理が行われ、それぞれのパターンが設定される。
したがって、本考案の冷暖房集中管理システムでは、その日付になると、暖房モード及び蓄熱モードは、平日、休日、休日前、休日後、土曜日の５個の日タイプに応じて適用される温度設定パターンに従って制御される。
【図１】
0003169265.tif 000003